(57)【特許請求の範囲】
【請求項１】
押圧体と、帯状の複数枚の文字盤と、用紙を挟持する印字盤とよりなり、上記押圧体の中間部には、文字盤をスライド可能に挿入する横孔を、下端にはピン受け部を設け、押圧体内には６本の昇降ピンを夫々昇降自在に設けて上記ピン受け部に支持させ、且つその下端をコイルばねによりピン受け部から突出させ、上端を横孔内に挿入した文字盤の下面に臨ませ、前記文字盤の上面には押圧体の横孔に設けた文字合わせ位置に合致させる、ひらがな，数字等の墨字を長手方向に順次表示し、下面には文字合わせ位置に合致させた墨字に対応する凹部が昇降ピンの上方に位置するように長手方向に順次配置し、前記印字盤は、基板とその上面に重ねる定規板とよりなり、上記基板には６個をブロックとする多数の点字用凹部を設け、定規板には各点字用凹部の対応位置に、押圧体のピン受け部のガイド孔を穿設したことを特徴とする点字器。
【発明の詳細な説明】
【技術分野】
【０００１】
本発明は、学童が点字を学習しなくても点字による手紙等を書いたり、点訳をすることができる点字器に関するものである。
【背景技術】
【０００２】
学童は学校での福祉教育の一つとして、視覚障害者宛ての点字による手紙を作成している。この場合、６点よりなる点字用凹部を多数並設した基板上に葉書を重ね、その上に各点字用凹部の位置に合致する多数のガイド孔を形成した定規板を重ね、上記ガイド孔に露出している葉書を、点筆のピンを用いて点字用凹部内に押し込んで葉書の下面に突条の点字を表示する点字器が使用されている。
【特許文献１】特開２０００−２３１３２７号公報
【０００３】
この従来の点字器にあっては、使用者が点字を知らなければ使用することができないので、学童は先ず点字を学ぶ必要があった。しかし、制限された授業時間での点字の勉強は極めて困難であり、そのため、点字の作成による学童と視覚障害者とのコミュニケーションを図ることは不可能であった。
【発明の開示】
【発明が解決しようとする課題】
【０００４】
本発明が解決しようとする課題は、学童が点字で手紙等の文章を作成する場合、点字を学ばなくても、容易に点字で手紙等を書いたり、墨字による文章を点字による文章に変更する所謂点訳することができる点字器を提供することである。
【課題を解決するための手段】
【０００５】
上記課題を達成するために、本発明に係る点字器は、押圧体と、帯状の複数枚の文字盤と、用紙を挟持する印字盤とよりなり、上記押圧体の中間部には、文字盤をスライド可能に挿入する横孔を、下端にはピン受け部を設け、押圧体内には６本の昇降ピンを夫々昇降自在に設けて上記ピン受け部に支持させ、且つその下端をコイルばねによりピン受け部から突出させ、上端を横孔内に挿入した文字盤の下面に臨ませ、前記文字盤の上面には押圧体の横孔に設けた文字合わせ位置に合致させる、ひらがな，数字等の墨字を長手方向に順次表示し、下面には文字合わせ位置に合致させた墨字に対応する凹部が昇降ピンの上方に位置するように長手方向に順次配置して、押圧体の押し下げ時に不使用の昇降ピンが上昇するように構成し、前記印字盤は、基板とその上面に重ねる定規板とよりなり、上記基板には６個をブロックとする多数の点字用凹部を設け、定規板には各点字用凹部の対応位置に、押圧体のピン受け部のガイド孔を穿設したことを特徴としている。
【０００６】
本発明の点字器は、印字盤の基板と定規板との間に葉書等の用紙を裏返しにして挟み、押圧体の横孔に文字盤を挿入し、その上面に表示された刻字しようとする墨字を押圧体の文字合わせ位置に合わせた後、押圧体の下端に設けたピン受け部を印字盤の定規板に設けたガイド孔に嵌入して押圧体を押し下げれば、６本の内の不用の昇降ピンの上端は、文字盤の下面に設けた凹部内に圧入され、他の昇降ピンの上端は文字盤の下面に保持される。その結果、上端を保持されて上昇を阻止された昇降ピンの下端が、用紙を基板の点字用凹部内に点状に押圧し、所定の点字が表示される。
【０００７】
引き続き、文字盤をスライドさせるか、別の文字盤に差し替えて所望の墨字を文字合わせ位置に合わせた後、押圧体のピン受け部を印字盤のガイド孔に嵌入して押圧体を押し下げれば、用紙に順次ひらがな等の点字が表示されるのである。
【発明の効果】
【０００８】
本発明に係る点字器は、文字盤を直視しながら刻印するものであるから、点字を学ばなくても、点字による手紙等を書くことができる。しかも、１文字の点字は６本の昇降ピンにより、一度に刻設されるので、能率良く点字による文章を作成することができる。従って、学童が福祉教育の授業において視覚障害者宛ての手紙を作成するとか、点字への翻訳をする場合にきわめて便利である。
【発明を実施するための最良の形態】
【０００９】
点字を覚えなくても、点字の文章を表すことができる点字器に付き詳細に説明する。
【００１０】
図１〜図８は、本発明に係る点字器の一実施例であり、図１は文字盤をセットした押圧体の正面図、図２は同上要部の拡大縦断面図、図３はＡ−Ａ断面図、図４は文字盤の底面図、図５はＢ−Ｂ断面図、図６は定規盤の一部切り欠き平面図、図７は同上定規盤の要部の拡大縦断面図、図８は使用状態を示す縦断面図である。
【００１１】
図中の符号１は押圧体、２は文字盤、３は印字盤である。上記押圧体１は上端に摘み４を、下端にピン受け部５を、中間部に文字盤２の挿入用横孔６を形成し、横孔６の一側開口部には、文字合わせ位置Ｐを形成している。この押圧体１には、点字を刻設する６本の昇降ピン７を内設し、各昇降ピン７の下端はピン受け部５を貫通させて下方に僅かに突出させ、上端は文字盤２を挿入する横孔６の下壁８に形成した貫通孔９に貫入し、上端面を貫通孔９の上端と一致させている。また各昇降ピン７に固定し、且つピン受け部５上に保持させたばね受け１０と下壁８との間において各昇降ピン７にコイルばね１１を外装して昇降ピン７を下方へ付勢させている。尚、上記ピン受け部５は，後記する印字盤３のガイド孔に嵌合する太さであり、しかも、ガイド孔に正確に嵌合して昇降ピン７の下端が点字用凹部に合致するように，角部に傾斜面ａを形成している。
【００１２】
前記文字盤２は、帯状の複数枚で構成され、上面にひらがなの墨字１２を一定間隔で順次横書きし、各墨字１２間に目盛り１３を表示している。この目盛り１３は、所望の墨字１２を押圧体１の文字合わせ位置Ｐに合致させるための目印である。また文字盤２の下面には各墨字１２に相当する凹部１４を順次形成している。この凹部１４は、図３に示すように、所望の墨字１２を押圧体１の文字合わせ位置Ｐに合致させたとき、その墨字１２に対応する凹部１４が昇降ピン７の位置に合致し、刻印したくない昇降ピン７の上昇を許容する。その他の昇降ピン７は文字盤２の下面により、上昇を阻止されるのである。また文字盤２の長手方向の一側縁には、墨字１２と凹部１４とのピッチに合わせて切り込み１５を形成し、所望の墨字１２が押圧体１の文字合わせ位置Ｐに目盛り１３が合致したとき、横孔６内に突出した進退自在のボール１６に嵌合するように構成している。
【００１３】
前記印字盤３は、基板１７とその上面に重ねる定規板１８とにより形成している。上記基板１７の上面には、６個よりなる点字用凹部１９を横方向に多数並設し、この１列の点字用凹部１９を複数並設している。上記定規板１８には各点字用凹部１９の各列に合致する複数列の長孔２０を穿設している。この長孔２０の長手方向の両縁には、長孔２０内を区画して各点字用凹部１９に対応するガイド孔２１を形成するための突部２２を形成している。この突部２２は、前記ピン受け部５の角部に形成した傾斜面ａを案内し、ピン受け部５をガイド孔２１内に正確に導入するためのものでもある。また基板１７には突軸２３を設け、定規板１８には突軸２３に嵌合する透孔２４を穿設している。尚、符号２５は印字用の用紙である。
【００１４】
上記実施例にあっては、印字盤３の基板１７と定規板１８との間に葉書等の用紙２５を挟み、一方、押圧体１の横孔６に挿入した文字盤２をスライドさせて、図３に示すように、印字しようとする墨字１２を押圧体１の一側に位置させると共に、目盛り１３を文字合わせ位置Ｐに合致させるときは、切り込み１５にボール１６が嵌合するため、文字盤２は押圧体１に安定する。次に押圧体１の摘み４を握り、図８（ａ）に示すように押圧体１の下端に設けたピン受け部５を、定規板１８の長孔２０内に形成されたガイド孔２１に嵌入して押圧体１を押し下げれば、図８(ｂ)に示すように下端がピン受け部５から突出した６本の昇降ピン７の一部、即ち文字盤２の凹部１４に位置した昇降ピン７は、下端を用紙２５に支持され、上端が凹部１４内に侵入する。他の昇降ピン７、即ち文字盤２の凹部１４がない部分の昇降ピン７は、押圧体１の下降に伴い上端を文字盤２の下面により上昇を阻止され、ピン受け部５から突出した下端により、用紙２５を基板１７の点字用凹部１９内に圧入し、所定の点字が表示される。
【００１５】
引き続き、文字盤２をスライドさせ、押圧体１のピン受け部５を長孔２０内の次のガイド孔２１に嵌入して押圧体１を押し下げれば、用紙に順次点字が表示されるのである。
【００１６】
上記実施形態にあっては、横孔６の一側開口部に文字合わせ位置Ｐを設け、この文字合わせ位置Ｐに刻印しようとする墨字１２を合致させたとき、その墨字１２に対応する凹部１４が昇降ピン７の位置に合致するように形成したが、昇降ピン７上の横孔６の箇所を文字合わせ位置Ｐとし、この箇所の押圧体１に透視窓を形成し、一方文字盤２の墨字１２に対し、その下面位置に凹部１４を形成することにより、透視窓より所望の墨字１２が昇降ピン７の位置に合致したことを確認しながら刻印するように構成することもある。
【００１７】
また上記実施例１及び２では、定規盤１８に長孔２０を突部２２により区画してガイド孔２１を形成したが、従来のように各点字用凹部１９に対応するガイド孔２１を、仕切りを挟んで列設することもある。
【図面の簡単な説明】
【００１８】
【図１】実施形態における押圧体の正面図である。
【図２】図２は同上要部の拡大縦断面図である。
【図３】図２に示すＡ−Ａ線の横断面図である。
【図４】文字盤の底面図である。
【図５】図２に示すＢ−Ｂ線の横断面図である。
【図６】定規盤の一部切り欠き平面図である。
【図７】定規盤の要部の拡大縦断面図である。
【図８】使用状態を示す縦断面図である。
【符号の説明】
【００１９】
１        押圧体
２        文字盤
３        印字盤
５        ピン受け部
６        横  孔
７        昇降ピン
１２      墨  字
１４      凹  部
１７      基  板
１８      定規板
１９      点字用凹部
２０      長  孔
２１      ガイド孔
２５      用  紙
Ｐ        文字合わせ位置
【図１】
0003714939.tif 000002
【図２】
0003714939.tif 000003
【図３】
0003714939.tif 000004
【図４】
0003714939.tif 000005
【図５】
0003714939.tif 000006
【図６】
0003714939.tif 000007
【図７】
0003714939.tif 000008
【図８】
0003714939.tif 000009